(57)【特許請求の範囲】
【請求項１】
柱脚用のアンカーボルト等を取付固定し得る柱脚用のアンカーフレームを杭頭の周りに設置して定着させる方法に於いて、
杭頭の周りに複数のプレートを配置する工程と、
複数の前記プレートを高さ調節しながら該杭頭の側部に固定する工程と、
前記プレートに前記アンカーフレームを固着する工程と、
を有することを特徴とするアンカーフレーム定着方法。
【発明の詳細な説明】
【０００１】
【発明の属する技術分野】
本発明は柱脚用アンカーフレームの定着方法に係り、特にアンカーフレームの高さを簡単に規定することが出来ると共に、該アンカーフレームを杭頭の周りに安定した状態で設置固定し得るアンカーフレーム定着方法に関するものである。
【０００２】
【従来の技術】
従来、杭頭の周りに打設された捨コンクリートの上に柱脚用のアンカーボルト等を取付固定するための柱脚用アンカーフレームを設置して定着させるに当っては、アングル材で現場に於て構成した架台の下部を捨コンクリートの中に埋設して固定し、この架台の上にアンカーフレームを固定することに定着させることが一般的に実施されていた。
【０００３】
しかるに前述のように架台を使用する場合には、構造が複雑になる上に、架台の下部を捨コンクリートの中に埋設したり、或はライナーを使用して隙間を埋めながらアンカーフレームの水平レベルを出したりしなければならないので、作業が極めて繁雑でコスト高になる問題があった。かつ、前述のように架台やアンカーフレームを捨コンクリートに設置する場合に、これ等が杭頭と接触する際には、アンカーフレーム等の一部を切欠かなければならない問題があった。
【０００４】
また、前述の従来のアンカーフレームの固定方法を改善するために、例えば実開平２−１２０５３４、或は図５に示す如きコンクリート杭上に施設するアンカーボルトの定着方法が開発されている。
【０００５】
この定着方法は、図５に示す如く、アンカーボルト５１を固定手段５２を介して支持する堅杆５３が、取付固定されるアンカーフレーム５４をＺ型支持脚５５を介して、杭頭５６の周りに打設された捨コンクリート５７に設置していた。図中５８はテンプレート、５９はナットである。
【０００６】
【発明が解決しようとする課題】
前述の図５に示す方法のように、Ｚ型支持脚５５を用いてアンカーフレーム５４を捨コンクリート５７に設置する場合には、前述の従来の架台やライナー等を不要とし、かつ架台の下部を捨コンクリートの中に埋設する必要がないので、作業が簡単である等の点に於て大きな作用効果を有している。
【０００７】
しかし、この図５に示す方法に於ては、一定の高さを有するＺ型支持脚５５を使用するので、高さ調整が出来ず、従ってアンカーフレーム５４の水平レベル出しが困難である問題があった。
【０００８】
本発明に係るアンカーフレームの定着方法は、前述の従来の多くの問題点に鑑み開発された全く新しい技術であって、特に杭頭の周りに複数のアングル材等のプレートを配置し、かつこれ等のプレートの高さを夫々調節しながら該杭頭の側部に固定し、さらに前記プレートに前記アンカーフレームを固着して構成するアンカーフレーム定着方法の技術を提供するものである。
【０００９】
【課題を解決するための手段】
本発明に係るアンカーフレームの定着方法は、柱脚用のアンカーボルト等を取付固定し得る柱脚用のアンカーフレームを杭頭の周りに設置して定着させる方法に於いて、杭頭の周りに複数のプレートを配置する工程と、複数の前記プレートを高さ調節しながら該杭頭の側部に固定する工程と、前記プレートに前記アンカーフレームを固着する工程と、を有することを特徴とするアンカーフレーム定着方法である。
【００１０】
前述の本発明のアンカーフレームの定着方法に於ては、杭頭の周りに配置されたアングル材等の複数のプレートを杭頭の側部に固定するようにしたので、これ等のプレートを杭頭に固定する際に、プレートの高さを調節してその水平レベル出しをしながら固定することが出来る。
【００１１】
また、本発明の定着方法に於ては、前記アンカーフレームを前記複数のプレートに直接固着するようにしたので、前述の従来用いられていた架構や特殊な支持脚を全く不要とすることが出来る。
【００１２】
かつ、前記アンカーフレームは既に水平レベル出しが行われているプレートに直接固着するので、これによってアンカーフレームの水平レベル出しを自動的にかつ正確に行うことが出来る。さらに、本発明の方法を実施した場合には、従来のように、杭頭の周りに捨コンクリートを施す工程を省略することが出来る。
【００１３】
【発明の実施の形態】
図により本発明に係るアンカーフレームの定着方法の一実施例を具体的に説明すると、図１は本発明に係る定着方法の要部の説明図、図２は図１の定着方法を実施した状態の斜視説明図である。
【００１４】
図３（ａ）、（ｂ）は夫々高さの異なる杭頭に複数のアングル材を取付固定する状態の側面説明図、図４（ａ）、（ｂ）、（ｃ）は数の異なる杭頭に夫々複数のアングル材を固着する状態の要部の説明図である。
【００１５】
図１及び図２に於て、１、２は夫々パイル等の杭の杭頭であって、これ等の杭頭１、２の上縁には金属製のリング（枠）３が予め取付けられている。４は捨コンクリートであって、杭頭１、２の周りに打設されている。
【００１６】
５、６は夫々アングル材（プレート）であって、水平片及び垂直片より形成されている。該アングル材５、６は前記杭頭１、２を両側から挟持するように配置されると共に、これ等のアングル材５、６の垂直片は、杭頭１、２のリング３の側部に溶着されて固定されている。
【００１７】
前述のアングル材５、６を杭頭１、２のリング３に溶着させるに当っては、例えば図３（ａ）、（ｂ）に例示するように、杭頭１、２のリング３の高さが異なるような場合には、アングル材５、６を水平に保つために種々の調整が必要である。
【００１８】
即ち、図３（ａ）に示す杭頭１、２の高さが若干違う場合には、左側の杭頭１の方が右側の杭頭２より少し高くなっているので、先ずアングル材５を水平に保ち、そのアングル材５の水平レベルを出しながら、アングル材５を杭頭１、２のリング３に溶着７して、アングル材５を杭頭１、２に取付けることが出来る。従って、杭頭１の場合にはアングル材５の下縁がリング３の下部に溶着７され、かつ杭頭２の場合にはアングル材５の下縁がリング３の上部に溶着７される。
【００１９】
図３（ｂ）に示すように、杭頭１、２の高さが大きく異なる場合には、高さが小さい方の杭頭２のリング３に予めアングルピース８を起立固定しておき、水平レベル出しが終って水平に保たれたアングル材５の側面に、前記アングルピース８の上部を当接して溶着７することによって、アングル材５を杭頭１、２に取付けることが出来る。
【００２０】
杭頭にアングル材５、６を取付固定するに当っては、図４（ａ）に示す如く、１本の杭頭１の場合、同図（ｂ）に示す如く、２本の杭頭１、２の場合、或は同図（ｃ）に示す如く、３本の杭頭１、２、２ａの場合のいずれも可能である。図中９は補強用アングルピースである。
【００２１】
図１及び図２に於て、１０はアンカーフレームであって、４本のアングル材を４角状に組合わせることによって構成されている。このアンカーフレーム１０は、前述のように水平レベル出しが行われた後で杭頭１、２に固定されているアングル材５、６上に直接載置されると共に、このアングル材５、６に溶着固定されている。
【００２２】
図中１１は堅杆であって、前記アンカーフレーム１０に固定されている。この堅杆１１には固定手段１２を介してアンカーボルト１３が取付けられている。また、アンカーボルト１３の上端にはナット１４を介してテンプレート１５が取付けられている。
【００２３】
本発明の定着方法に於ては、前述のように杭頭１、２の周りに配置されたアングル材５、６を杭頭１、２のリング３に溶着７して取付固定するようにしたので、このアングル材５、６を杭頭１、２に取付ける際に水平に保って水平レベル出しをすることが出来る。
【００２４】
また、本発明に於ては、アンカーフレーム１０を、前述のように杭頭１、２に取付けられているアングル材５、６上に載置した後で溶着固定するようにしたので、アンカーフレーム１０の水平レベル出しを前記アングル材５、６を介して自動的に行うことが出来る。
【００２５】
【発明の効果】
本発明のアンカーフレームの定着方法に於ては、杭頭の周りに配置されたアングル材等の複数のプレートを杭頭の側部に固定するようにしたので、これ等のプレートを杭頭に固定する際に、プレートの高さを調節して水平レベル出しをしながら固定することが出来る効果を有している。
【００２６】
また、本発明の定着方法に於ては、前記アンカーフレームを前記複数のプレートに直接固着するようにしたので、前述の従来用いられていた架構や特殊な支持脚を全く不要とすることが出来る効果も有している。
【００２７】
さらに、前記アンカーフレームは既に水平レベル出しが行われているプレートに直接固着するので、これによってアンカーフレームの水平レベル出しを自動的にかつ正確に行うことが出来る。さらに、本発明の方法を実施した場合には、従来のように、杭頭の周りに捨コンクリートを施す工程を省略することが出来る等の多大な効果も有している。
【図面の簡単な説明】
【図１】本発明に係る定着方法の要部の説明図である。
【図２】図１の定着方法を実施した状態の斜視説明図である。
【図３】夫々高さの異なる杭頭に複数のアングル材を取付固定する状態の側面説明図である。
【図４】数の異なる杭頭に夫々複数のアングル材を固着する状態の要部の説明図である。
【図５】従来例のフレーム定着方法の側面説明図である。
【符号の説明】
１ …杭頭
２ …杭頭
３ …リング
５ …アングル材
６ …アングル材
７ …溶着
８ …アングルピース
９ …補強用アングルピース
１０ …アンカーフレーム
１１ …堅杆
１２ …固定手段
１３ …アンカーボルト
１４ …ナット
１５ …テンプレート
５１ …アンカーボルト
５２ …固定手段
５３ …堅杆
５４ …アンカーフレーム
５５ …Ｚ型支持脚
５６ …杭頭
５７ …捨コンクリート
５８ …テンプレート
５９ …ナット
【図１】
0004756750.tif 000002
【図２】
0004756750.tif 000003
【図３】
0004756750.tif 000004
【図４】
0004756750.tif 000005
【図５】
0004756750.tif 000006